(57)【要約】【課題】被装着部材に容易に装着できる閉鎖器具と、閉鎖器具を備えるドアを提供する。【解決手段】閉鎖器具は、第一閉鎖具と、第二閉鎖具を備える。第一閉鎖具は、第一部品と、第二部品を備える。第二部品は、第一部品の第一筒部の内部に、第一方向の第一側から嵌め込まれ、第一部品に支持される。第二部品の第一脚部には、第一係合部が形成される。第二閉鎖具は、第三部品と、第四部品を備える。第四部品は、第三部品の第二筒部の内部に、第一方向の第二側から嵌め込まれ、第三部品に支持される。第四部品の第二脚部には、第二係合部が形成される。装着状態で、第一係合部と第二係合部は係合する。装着状態は、第一閉鎖具と第二閉鎖具が被装着部材を貫通する貫通孔に嵌め込まれた状態である。【選択図】図１
2018044422.tif 000002
【特許請求の範囲】
【請求項１】
被装着部材を貫通する貫通孔に嵌め込まれる第一閉鎖具と、前記第一閉鎖具が嵌め込まれる側とは反対側から前記貫通孔に嵌め込まれる第二閉鎖具と、を備える閉鎖器具であって、
前記第一閉鎖具は、
前記第一閉鎖具と前記第二閉鎖具とが前記貫通孔に嵌め込まれた装着状態で、前記貫通孔の内部に設けられ、且つ前記装着状態で前記貫通孔が貫通する方向に一致する第一方向に貫通する筒状の第一筒部と、前記第一方向の第一側で前記第一筒部と一体をなし、且つ前記装着状態で、前記第一閉鎖具が嵌め込まれる側の前記被装着部材の第一面に接する第一鍔部と、を含む第一部品と、
前記第一筒部の内部に、前記第一方向の第一側から嵌め込まれ、前記第一部品に支持される第二部品と、を備え、
前記第二部品は、
前記第一部品に支持された第一状態で、前記第一筒部を閉鎖する第一蓋部と、
前記第一蓋部の前記第一方向の第二側で前記第一蓋部と一体をなし、前記第一蓋部から前記第一方向の第二側に延びる第一脚部と、を含み、
前記第一脚部には、第一係合部が形成され、
前記第二閉鎖具は、
前記装着状態で、前記貫通孔の内部に設けられ、且つ前記第一方向に貫通する筒状の第二筒部と、前記第一方向の第二側で前記第二筒部と一体をなし、且つ前記装着状態で、前記第二閉鎖具が嵌め込まれる側の前記被装着部材の第二面に接する第二鍔部と、を含む第三部品と、
前記第二筒部の内部に、前記第一方向の第二側から嵌め込まれ、前記第三部品に支持される第四部品と、を備え、
前記第四部品は、
前記第三部品に支持された第二状態で、前記第二筒部を閉鎖する第二蓋部と、
前記第二蓋部の前記第一方向の第一側で前記第二蓋部と一体をなし、前記第二蓋部から前記第一方向の第一側に延びる第二脚部と、を含み、
前記第二脚部には、第二係合部が形成され、
前記装着状態で、前記第一係合部と前記第二係合部とが係合する、閉鎖器具。
【請求項２】
前記第二部品は、前記第一筒部及び前記第二筒部の各内周面に沿った第二方向に所定の間隔で前記第一蓋部に設けられる、前記第一脚部としての第三脚部と第四脚部とを含み、
前記第三脚部には、
前記第二方向の第三側に、前記第一係合部としての第三係合部が形成され、
前記第二方向の第四側に、前記第一係合部としての第四係合部が形成され、
前記第四脚部には、
前記第二方向の第三側に、前記第一係合部としての第五係合部が形成され、
前記第二方向の第四側に、前記第一係合部としての第六係合部が形成され、
前記第四部品は、前記第二方向に前記所定の間隔で前記第二蓋部に設けられる、前記第二脚部としての第五脚部と第六脚部とを含み、
前記第五脚部には、
前記第二方向の第三側に、前記第二係合部としての第七係合部が形成され、
前記第二方向の第四側に、前記第二係合部としての第八係合部が形成され、
前記第六脚部には、
前記第二方向の第三側に、前記第二係合部としての第九係合部が形成され、
前記第二方向の第四側に、前記第二係合部としての第十係合部が形成され、
前記第三脚部と前記第四脚部と前記第五脚部と前記第六脚部とは、前記装着状態で、前記第二方向の第三側から第四側に向けて、前記第三脚部、前記第五脚部、前記第四脚部及び前記第六脚部の順で設けられ、
前記装着状態で、前記第四係合部と前記第七係合部とが係合し、
前記装着状態で、前記第八係合部と前記第五係合部とが係合し、
前記装着状態で、前記第六係合部と前記第九係合部とが係合する、請求項１に記載の閉鎖器具。
【請求項３】
前記装着状態で、前記第十係合部と前記第三係合部とが係合する、請求項２に記載の閉鎖器具。
【請求項４】
前記第一筒部は、内周面が円筒面である筒状で、
前記第一脚部は、前記第一状態で、前記第一筒部から前記第一方向の第二側に突出する第一先端部に、前記第一方向に対して傾斜する第一傾斜部を含み、
前記第二部品は、前記第一部品に前記第二方向に回転自在に支持され、
前記第二筒部は、内周面が円筒面である筒状で、
前記第二脚部は、前記第二状態で、前記第二筒部から前記第一方向の第一側に突出する第二先端部に、前記第一方向に対して傾斜する第二傾斜部を含み、
前記第四部品は、前記第三部品に前記第二方向に回転自在に支持され、
前記第四部品は、前記第二閉鎖具が前記第一閉鎖具が嵌め込まれた前記貫通孔に嵌め込まれる場合、前記第一傾斜部と前記第二傾斜部との接触に伴う前記第一傾斜部からの反力に応じて、前記第二部品に対して前記第二方向に相対回転する、請求項１から請求項３の何れか１項に記載の閉鎖器具。
【請求項５】
前記第一蓋部は、前記第一方向の第二側に、外周面が前記第一筒部の円筒面に沿った形状を有し、且つ前記第一状態で、前記第一筒部の内部に設けられる第一台座部を含み、
前記第一脚部は、前記第一台座部から前記第一方向の第二側に延び、
前記第二蓋部は、前記第一方向の第一側に、外周面が前記第二筒部の円筒面に沿った形状を有し、且つ前記第二状態で、前記第二筒部の内部に設けられる第二台座部を含み、
前記第二脚部は、前記第二台座部から前記第一方向の第一側に延びる、請求項４に記載の閉鎖器具。
【請求項６】
請求項１から請求項５の何れか１項に記載の閉鎖器具と、
前記貫通孔が形成された前記被装着部材としてのドア板と、を備え、
前記第一蓋部と前記第二蓋部とは、光が透過する状態とされ、
前記閉鎖器具が前記貫通孔に装着されたドア。
【発明の詳細な説明】
【技術分野】
【０００１】
本発明は、被装着部材を貫通する貫通孔に嵌め込まれる第一閉鎖具と第二閉鎖具を備える閉鎖器具と、閉鎖器具を備えるドアに関する。
【背景技術】
【０００２】
閉鎖器具に関する技術が提案されている。例えば、特許文献１には、ドア用小窓が開示されている。ドア用小窓は、ホルダーと窓板を有する。ホルダーは、ドアパネルの装着穴に係合装着される。窓板は、ホルダーに支持される。ホルダーは、フランジと弾性係合片を備える。フランジは、装着穴の周縁壁に受け止められる。弾性係合片は、フランジの片面から突設されて、装着穴に差し込み係合される。ドア用小窓では、ホルダーの少なくともフランジは、透明プラスチック材で形成される。
【先行技術文献】
【特許文献】
【０００３】
【特許文献１】特開２００４−３６０２４４号公報
【発明の概要】
【発明が解決しようとする課題】
【０００４】
閉鎖器具は、被装着部材に装着され、被装着部材を貫通する貫通孔を閉鎖する。閉鎖器具は、第一閉鎖具と第二閉鎖具を含む。第一閉鎖具と第二閉鎖具は、被装着部材を貫通する貫通孔の両側にそれぞれ嵌め込まれる。閉鎖器具としては、被装着部材としてのドア板に装着される器具が例示される。閉鎖器具が前述の器具である場合、この器具は、例えば、小窓、明かり窓又はドアスコープと称される。この他、閉鎖器具としては、被装着部材としての建築物の壁に装着される器具が例示される。閉鎖器具が前述の器具である場合、この器具は、例えば、ホールキャップと称される。ホールキャップは、例えば、エアーコンディショナーの室内機及び室外機を接続する配管が通されていた貫通孔を閉鎖する場合に用いられる。発明者は、被装着部材の貫通孔に容易に装着できる閉鎖器具の構造について検討した。その際、発明者は、閉鎖器具が被装着部材にしっかりと固定される閉鎖器具の構造について考慮した。
【０００５】
本発明は、被装着部材に容易に装着できる閉鎖器具と、閉鎖器具を備えるドアを提供することを目的とする。
【課題を解決するための手段】
【０００６】
本発明の一側面は、被装着部材を貫通する貫通孔に嵌め込まれる第一閉鎖具と、前記第一閉鎖具が嵌め込まれる側とは反対側から前記貫通孔に嵌め込まれる第二閉鎖具と、を備える閉鎖器具であって、前記第一閉鎖具は、前記第一閉鎖具と前記第二閉鎖具とが前記貫通孔に嵌め込まれた装着状態で、前記貫通孔の内部に設けられ、且つ前記装着状態で前記貫通孔が貫通する方向に一致する第一方向に貫通する筒状の第一筒部と、前記第一方向の第一側で前記第一筒部と一体をなし、且つ前記装着状態で、前記第一閉鎖具が嵌め込まれる側の前記被装着部材の第一面に接する第一鍔部と、を含む第一部品と、前記第一筒部の内部に、前記第一方向の第一側から嵌め込まれ、前記第一部品に支持される第二部品と、を備え、前記第二部品は、前記第一部品に支持された第一状態で、前記第一筒部を閉鎖する第一蓋部と、前記第一蓋部の前記第一方向の第二側で前記第一蓋部と一体をなし、前記第一蓋部から前記第一方向の第二側に延びる第一脚部と、を含み、前記第一脚部には、第一係合部が形成され、前記第二閉鎖具は、前記装着状態で、前記貫通孔の内部に設けられ、且つ前記第一方向に貫通する筒状の第二筒部と、前記第一方向の第二側で前記第二筒部と一体をなし、且つ前記装着状態で、前記第二閉鎖具が嵌め込まれる側の前記被装着部材の第二面に接する第二鍔部と、を含む第三部品と、前記第二筒部の内部に、前記第一方向の第二側から嵌め込まれ、前記第三部品に支持される第四部品と、を備え、前記第四部品は、前記第三部品に支持された第二状態で、前記第二筒部を閉鎖する第二蓋部と、前記第二蓋部の前記第一方向の第一側で前記第二蓋部と一体をなし、前記第二蓋部から前記第一方向の第一側に延びる第二脚部と、を含み、前記第二脚部には、第二係合部が形成され、前記装着状態で、前記第一係合部と前記第二係合部とが係合する、閉鎖器具である。
【０００７】
この閉鎖器具によれば、第一閉鎖具と第二閉鎖具を貫通孔に嵌め込むことで、貫通孔の内部で、第一係合部と第二係合部を係合させることができる。第一閉鎖具と第二閉鎖具を連結させることができる。装着状態で、第一閉鎖具と第二閉鎖具の少なくとも一方が貫通孔から外れてしまうことを防止することができる。
【０００８】
閉鎖器具では、前記第二部品は、前記第一筒部及び前記第二筒部の各内周面に沿った第二方向に所定の間隔で前記第一蓋部に設けられる、前記第一脚部としての第三脚部と第四脚部とを含み、前記第三脚部には、前記第二方向の第三側に、前記第一係合部としての第三係合部が形成され、前記第二方向の第四側に、前記第一係合部としての第四係合部が形成され、前記第四脚部には、前記第二方向の第三側に、前記第一係合部としての第五係合部が形成され、前記第二方向の第四側に、前記第一係合部としての第六係合部が形成され、前記第四部品は、前記第二方向に前記所定の間隔で前記第二蓋部に設けられる、前記第二脚部としての第五脚部と第六脚部とを含み、前記第五脚部には、前記第二方向の第三側に、前記第二係合部としての第七係合部が形成され、前記第二方向の第四側に、前記第二係合部としての第八係合部が形成され、前記第六脚部には、前記第二方向の第三側に、前記第二係合部としての第九係合部が形成され、前記第二方向の第四側に、前記第二係合部としての第十係合部が形成され、前記第三脚部と前記第四脚部と前記第五脚部と前記第六脚部とは、前記装着状態で、前記第二方向の第三側から第四側に向けて、前記第三脚部、前記第五脚部、前記第四脚部及び前記第六脚部の順で設けられ、前記装着状態で、前記第四係合部と前記第七係合部とが係合し、前記装着状態で、前記第八係合部と前記第五係合部とが係合し、前記装着状態で、前記第六係合部と前記第九係合部とが係合する、ようにしてもよい。この場合、前記装着状態で、前記第十係合部と前記第三係合部とが係合する、ようにしてもよい。これらの構成によれば、第一閉鎖具と第二閉鎖具の連結力を向上させることができる。
【０００９】
閉鎖器具では、前記第一筒部は、内周面が円筒面である筒状で、前記第一脚部は、前記第一状態で、前記第一筒部から前記第一方向の第二側に突出する第一先端部に、前記第一方向に対して傾斜する第一傾斜部を含み、前記第二部品は、前記第一部品に前記第二方向に回転自在に支持され、前記第二筒部は、内周面が円筒面である筒状で、前記第二脚部は、前記第二状態で、前記第二筒部から前記第一方向の第一側に突出する第二先端部に、前記第一方向に対して傾斜する第二傾斜部を含み、前記第四部品は、前記第三部品に前記第二方向に回転自在に支持され、前記第四部品は、前記第二閉鎖具が前記第一閉鎖具が嵌め込まれた前記貫通孔に嵌め込まれる場合、前記第一傾斜部と前記第二傾斜部との接触に伴う前記第一傾斜部からの反力に応じて、前記第二部品に対して前記第二方向に相対回転する、ようにしてもよい。この場合、前記第一蓋部は、前記第一方向の第二側に、外周面が前記第一筒部の円筒面に沿った形状を有し、且つ前記第一状態で、前記第一筒部の内部に設けられる第一台座部を含み、前記第一脚部は、前記第一台座部から前記第一方向の第二側に延び、前記第二蓋部は、前記第一方向の第一側に、外周面が前記第二筒部の円筒面に沿った形状を有し、且つ前記第二状態で、前記第二筒部の内部に設けられる第二台座部を含み、前記第二脚部は、前記第二台座部から前記第一方向の第一側に延びる、ようにしてもよい。これらの構成によれば、第一脚部と第二脚部の位置合わせを、第二閉鎖具の嵌め込みに応じて自動的に行うことができる。第一係合部と第二係合部の係合をスムーズに行うことができる。
【００１０】
本発明の他の側面は、上述した何れかの閉鎖器具と、前記貫通孔が形成された前記被装着部材としてのドア板と、を備え、前記第一蓋部と前記第二蓋部とは、光が透過する状態とされ、前記閉鎖器具が前記貫通孔に装着されたドアである。
【００１１】
このドアによれば、閉鎖器具が、ドア用の小窓若しくは明かり窓、又はドアスコープとして機能するドアを実現することができる。光は、閉鎖器具を透過する。光を、ドアによって仕切られた外部空間と内部空間の間を行き来させることができる。
【発明の効果】
【００１２】
本発明によれば、被装着部材に容易に装着できる閉鎖器具と、閉鎖器具を備えるドアを得ることができる。
【図面の簡単な説明】
【００１３】
【図１】ドアの概略構成の一例を一部を省略して示す斜視図である。上段は、閉鎖器具が装着される前の状態を示す。下段は、閉鎖器具が装着された状態を示す。
【図２】第一閉鎖具の第一部品と第二部品の概略構成の一例を示す斜視図である。
【図３】第二閉鎖具の第三部品と第四部品の概略構成の一例を示す斜視図である。
【図４】装着方法の第二工程での第二部品と第四部品の動作を概念的に示す斜視図である。
【図５】装着状態での第二部品の第一脚部と第四部品の第二脚部の関係を概念的に示す図である。図４の第四段階に示す状態に対応する。
【図６】第二部品と第四部品の係合状態の概略構成の一例を示す図である。上段は、ドア板の厚みが第一値である場合に対応する。下段は、ドア板の厚みが第二値である場合に対応する。
【図７】装着状態での第二部品の第一脚部と第四部品の第二脚部の関係を概念的に示す図である。第一脚部及び第二脚部を各３本とした場合に対応する。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１５】
＜ドア＞
ドア１について、図１を参照して説明する。図１で、破線は、かくれ線である。ドア１は、公知のドアと同様、例えば、住宅等の建築物で、壁によって仕切られた所定の部屋の入口に設けられる。ドア１は、ドア板２と、閉鎖器具１０を備える。ドア板２は、閉鎖器具１０が装着される被装着部材である。ドア板２には、ドア板２を貫通する貫通孔５が設けられる。貫通孔５は、所定の径の丸孔である。貫通孔５は、例えば、ドア板２の鉛直方向の上側の所定の位置に設けられる。閉鎖器具１０は、貫通孔５に装着される。貫通孔５は、閉鎖器具１０によって閉鎖される。閉鎖器具１０は、ドア用の小窓若しくは明かり窓、又はドアスコープと称される器具である。
【００１６】
＜閉鎖器具＞
閉鎖器具１０について、図１〜図３を参照して説明する。閉鎖器具１０は、第一閉鎖具１１と、第二閉鎖具１２を備える（図１上段参照）。第一閉鎖具１１と第二閉鎖具１２は、貫通孔５の両側にそれぞれ嵌め込まれる。即ち、第一閉鎖具１１は、貫通孔５の一方側から貫通孔５に嵌め込まれる。第二閉鎖具１２は、第一閉鎖具１１が嵌め込まれる側とは反対側から貫通孔５に嵌め込まれる。第一閉鎖具１１と第二閉鎖具１２は、貫通孔５の内部で連結される。
【００１７】
実施形態では、第一閉鎖具１１と第二閉鎖具１２が貫通孔５に嵌め込まれた状態（図１下段参照）を、「装着状態」という。装着状態で貫通孔５が貫通する方向に一致する方向を、「第一方向」という。第一方向の一方側を、「第一側」という。第一方向の他方側を、「第二側」という。第一閉鎖具１１は、第一方向の第一側から貫通孔５に嵌め込まれ、第二閉鎖具１２は、第二方向の第二側から貫通孔５に嵌め込まれる（図１上段参照）。
【００１８】
第一閉鎖具１１は、図２に示すように、第一部品２０と、第二部品３０を備える。第二閉鎖具１２は、図３に示すように、第三部品５０と、第四部品６０を備える。第一閉鎖具１１と第二閉鎖具１２は、対応する構成とされる。実施形態では、第一閉鎖具１１と第二閉鎖具１２は、同一の構成とされている。そのため、第一部品２０と第三部品５０は、同一の部品である。第二部品３０と第四部品６０は、同一の部品である。
【００１９】
第一部品２０と第三部品５０を形成する樹脂としては、ＡＳＡ（acrylonitrile styrene acrylate）樹脂が例示される。第一部品２０と第三部品５０を形成する樹脂は、ＡＳＡ樹脂とは異なる合成樹脂としてもよい。第一部品２０と第三部品５０は、例えば、樹脂成形により形成される。第二部品３０と第四部品６０を形成する樹脂としては、ＰＣ（polycarbonate）樹脂が例示される。第二部品３０と第四部品６０を形成する樹脂は、ＰＣ樹脂とは異なる合成樹脂としてもよい。但し、第二部品３０と第四部品６０を形成する樹脂は、透明又は半透明な合成樹脂とされる。即ち、第二部品３０と第四部品６０は、光が透過する状態とされる。光は、閉鎖器具１０を透過する。光を、ドア１によって仕切られた外部空間と内部空間の間を行き来させることができる。
【００２０】
透明な合成樹脂によって形成される第二部品３０と第四部品６０では、表面の一部又は全部を、公知の手法により、例えば、すりガラスのような半透明とするようにしてもよい。成形後に表面を半透明とする加工方法としては、シボ加工又はエッチングが例示される。表面の一部を半透明とする場合、第二部品３０では、例えば、第一方向の第一側の面が半透明とされ、第四部品６０では、例えば、第一方向の第二側の面が半透明とされる。
【００２１】
＜第一部品及び第二部品＞
第一閉鎖具１１の第一部品２０と第二部品３０について、図２を参照して説明する。第一部品２０は、第一筒部２１と、第一鍔部２２を含む。第一筒部２１は、装着状態で、貫通孔５の内部に設けられる。この状態で、第一筒部２１は、貫通孔５の第一方向の第一側に配置される。第一筒部２１は、第一方向に貫通する。第一筒部２１は、円筒状とされ、その内周面は、円筒面とされる。実施形態では、第一筒部２１及び後述する第二筒部５１の各内周面（円筒面）に沿った方向を、「第二方向」という。第一筒部２１及び第二筒部５１の各内周面が円筒面である場合、第二方向は、円周方向となる。第二方向の一方側を、「第三側」という。第二方向の他方側を、「第四側」という。第二方向の第三側と第四側に関し、第一方向の第一側から第二側を視た状態を基準として、第二方向の第三側から第四側に向かう方向を時計回りとする。
【００２２】
第一筒部２１の外径は、貫通孔５の内径に対応した寸法とされる。第一筒部２１には、外周面に複数の第一リブ２３が第二方向に所定の角度間隔で形成される。例えば、第一リブ２３の数を６個とした場合、６個の第一リブ２３は、第二方向に６０°間隔で形成される。第一リブ２３の数及び配置は、諸条件を考慮して適宜決定される。第一リブ２３は、装着状態で、貫通孔５の内周面に食い込む。これに伴い、装着状態で、第一筒部２１の第二方向への回転が防止される。
【００２３】
第一筒部２１には、第一スリット２４が形成される。第一スリット２４は、第一方向の第二側の端部が開口する第一方向に沿った切り込みである。実施形態では、２個の第一スリット２４が、第二方向に１８０°間隔で形成されている。各第一スリット２４は、６０°間隔で隣り合う２個の第一リブ２３の第二方向の中間位置に形成されている。第一スリット２４の数及び配置は、諸条件を考慮して適宜決定される。第一スリット２４により第一筒部２１が変形し易くなる。これに伴い、第一閉鎖具１１の貫通孔５への嵌め込みがスムーズになる。第一部品２０では、第一スリット２４は、省略するようにしてもよい。第一筒部２１に第一スリット２４を設けるか否かは、諸条件を考慮して適宜決定される。第一鍔部２２は、第一筒部２１の第一方向の第一側の端部で、第一筒部２１と一体をなす。第一鍔部２２は、装着状態で、ドア板２の第一面３に第一鍔部２２の第一方向の第二側の面で接する。第一面３は、装着状態で、第一閉鎖具１１が嵌め込まれる側のドア板２の面である。実施形態では、第一面３は、ドア板２の第一方向の第一側の面である。
【００２４】
第二部品３０は、第一筒部２１の内部に、第一方向の第一側から嵌め込まれる。第二部品３０は、第一筒部２１の内部に嵌め込まれた状態で、第一部品２０に第二方向に回転自在に支持される（図１上段及び後述する図４参照）。実施形態では、第二部品３０が第一部品２０に支持された状態を、「第一状態」という。第二部品３０は、第一蓋部３１と、第一脚部３３を含む。第一蓋部３１は、第一筒部２１の内径より大きな外径とされる。第一蓋部３１は、第一状態で、第一部品２０の第一方向の第一側の開口縁部に係合し、第一筒部２１を閉鎖する。第一蓋部３１は、第一方向の第二側に、第一台座部３２を含む。第一台座部３２の外周面は、円筒面である第一筒部２１の内周面に沿った形状とされる。第一脚部３３は、第一蓋部３１と一体をなす。第一脚部３３は、第一台座部３２から第一方向の第二側に延びる。実施形態では、第一脚部３３を、２本の第一柱部３４と第一先端部３５の各部分に分けて説明する。
【００２５】
第一柱部３４は、第一状態で、第一筒部２１の内部に設けられる第一脚部３３の部分である。第一先端部３５は、第一状態で、第一筒部２１から第一方向の第二側に突出する第一脚部３３の部分である。換言すれば、第一柱部３４は、第一先端部３５を除く第一脚部３３の部分である。第一先端部３５は、第一柱部３４を除く第一脚部３３の部分である。第一柱部３４は、第一台座部３２から第一方向の第二側に延びる。２本の第一柱部３４は、第二方向に所定の角度間隔で、第一台座部３２の第一方向の第二側の端面に設けられる。第一柱部３４の外周面は、第一筒部２１の内周面に沿った形状とされる。第一柱部３４の外周面は、第一筒部２１の内周面に対応する曲率半径の面とするようにしてもよい。第一柱部３４の外周面は、第一状態で、第一筒部２１の内周面に対向する面である。
【００２６】
第一先端部３５は、２本の第一柱部３４を第二方向に連結する。第一先端部３５は、第一方向に対して傾斜する三角山状の第一傾斜部３６を含む。実施形態では、第一傾斜部３６は、三角山状の頂部を通る第一方向に沿った直線を基準として、第一傾斜辺部３７と第二傾斜辺部３８が対称な形状とされている。第一傾斜辺部３７は、第一傾斜部３６の２個の傾斜辺部のうち、第二方向の第三側に設けられる傾斜辺部である。第二傾斜辺部３８は、第一傾斜部３６の２個の傾斜辺部のうち、第二方向の第四側に設けられる傾斜辺部である。第一方向の第二側から第一側に向けて第一傾斜部３６を正面視したとき、第一傾斜部３６は、第一台座部３２に沿った円弧状の形状を有する。
【００２７】
第一先端部３５のうち、次の各部分には、第一爪部３９が、第一筒部２１の側に突出した状態で形成される。前述の第一先端部３５の各部分は、第一傾斜部３６から２本の第一柱部３４へと続く第一先端部３５の各端部である。２個の第一爪部３９は、第一状態で、第一筒部２１の第一方向の第二側の端面に引っ掛かる。これに伴い、第一閉鎖具１１では、第一状態が維持される。
【００２８】
実施形態では、第二部品３０には、第一脚部３３として、第三脚部４１と第四脚部４５が設けられている。第三脚部４１と第四脚部４５は、第二方向に１８０°間隔で、第一台座部３２の第一方向の第二側の端面に設けられている。２個の第一脚部３３を区別する場合、「第三脚部４１」と「第四脚部４５」という。第三脚部４１と第四脚部４５を区別しない場合、又はこれらを総称する場合、「第一脚部３３」という。
【００２９】
第一脚部３３には、第二方向の両側に第一係合部４０が形成される。即ち、第三脚部４１には、第一係合部４０としての第三係合部４２と第四係合部４３が形成される。第三係合部４２は、第三脚部４１の第二方向の第三側に形成される。第四係合部４３は、第三脚部４１の第二方向の第四側に形成される。第四脚部４５には、第一係合部４０としての第五係合部４６と第六係合部４７が形成される。第五係合部４６は、第四脚部４５の第二方向の第三側に形成される。第六係合部４７は、第四脚部４５の第二方向の第四側に形成される。実施形態では、第三係合部４２と第四係合部４３と第五係合部４６と第六係合部４７を区別しない場合、又はこれらを総称する場合、「第一係合部４０」という。第一係合部４０は、三角山状の凸部を含む凹凸部とされている。第一係合部４０では、凹凸部における凸部の数は、２個とされ、第一方向に並んで形成されている。第一方向に並ぶ２個の凸部の間には、凸部に対応する形状の凹部が形成されている。第一係合部４０では、凸部の数は、１個又は３個以上としてもよい。図２では、第三係合部４２と第六係合部４７は、視認できず、不図示とされている（第三係合部４２と第六係合部４７については、例えば、図４の「第一段階」参照）。
【００３０】
第二部品３０を第一部品２０に嵌め込む場合、第三脚部４１と第四脚部４５は、第一爪部３９の部分で、第一筒部２１の内周面に接する。これに伴い、第三脚部４１と第四脚部４５は、第一筒部２１の内周面からの反力に応じて、互いが接近する方向に弾性変形する。この弾性変形は、第二部品３０の第一部品２０への嵌め込みが完了した状態（第一状態）では、解放される。
【００３１】
＜第三部品及び第四部品＞
第二閉鎖具１２の第三部品５０と第四部品６０について、図３を参照して説明する。第三部品５０は、第二筒部５１と、第二鍔部５２を含む。第二筒部５１は、装着状態で、貫通孔５の内部に設けられる。この状態で、第二筒部５１は、貫通孔５の第一方向の第二側に配置される。第二筒部５１は、第一方向に貫通する。第二筒部５１は、円筒状とされ、その内周面は、円筒面とされる。第二筒部５１の外径は、貫通孔５の内径に対応した寸法とされる。第二筒部５１には、外周面に複数の第二リブ５３が第二方向に所定の角度間隔で形成される。第二リブ５３の数及び配置は、上述した第一筒部２１の第一リブ２３と同一である。従って、第二リブ５３の数及び配置に関する説明は、省略する。第二リブ５３は、装着状態で、貫通孔５の内周面に食い込む。これに伴い、装着状態で、第二筒部５１の第二方向への回転が防止される。
【００３２】
第二筒部５１には、第二スリット５４が形成される。第二スリット５４は、第一方向の第一側の端部が開口する第一方向に沿った切り込みである。第二スリット５４の数及び配置は、上述した第一筒部２１の第一スリット２４と同一である。従って、第二スリット５４の数及び配置に関する説明は、省略する。第二スリット５４により第二筒部５１が変形し易くなる。これに伴い、第二閉鎖具１２の貫通孔５への嵌め込みがスムーズになる。第三部品５０では、第二スリット５４は、省略するようにしてもよい。第二筒部５１に第二スリット５４を設けるか否かは、諸条件を考慮して適宜決定される。第二鍔部５２は、第二筒部５１の第一方向の第二側の端部で、第二筒部５１と一体をなす。第二鍔部５２は、装着状態で、ドア板２の第二面４に第二鍔部５２の第一方向の第一側の面で接する。第一面３は、装着状態で、第二閉鎖具１２が嵌め込まれる側のドア板２の面である。実施形態では、第二面４は、ドア板２の第一方向の第二側の面である。
【００３３】
第四部品６０は、第二筒部５１の内部に、第一方向の第二側から嵌め込まれる。第四部品６０は、第二筒部５１の内部に嵌め込まれた状態で、第三部品５０に第二方向に回転自在に支持される（図１上段及び後述する図４参照）。実施形態では、第四部品６０が第三部品５０に支持された状態を、「第二状態」という。第四部品６０は、第二蓋部６１と、第二脚部６３を含む。第二蓋部６１は、第二筒部５１の内径より大きな外径とされる。第二蓋部６１は、第二状態で、第三部品５０の第一方向の第二側の開口縁部に係合し、第二筒部５１を閉鎖する。第二蓋部６１は、第一方向の第一側に、第二台座部６２を含む。第二台座部６２の外周面は、円筒面である第二筒部５１の内周面に沿った形状とされる。第二脚部６３は、第二蓋部６１と一体をなす。第二脚部６３は、第二台座部６２から第一方向の第一側に延びる。実施形態では、第二脚部６３を、２本の第二柱部６４と第二先端部６５の各部分に分けて説明する。
【００３４】
第二柱部６４は、第二状態で、第二筒部５１の内部に設けられる第二脚部６３の部分である。第二先端部６５は、第二状態で、第二筒部５１から第一方向の第一側に突出する第二脚部６３の部分である。換言すれば、第二柱部６４は、第二先端部６５を除く第二脚部６３の部分である。第二先端部６５は、第二柱部６４を除く第二脚部６３の部分である。第二柱部６４は、第二台座部６２から第一方向の第一側に延びる。２本の第二柱部６４は、第二方向に所定の角度間隔で、第二台座部６２の第一方向の第一側の端面に設けられる。第二柱部６４の外周面は、第二筒部５１の内周面に沿った形状とされる。第二柱部６４の外周面は、第二筒部５１の内周面に対応する曲率半径の面とするようにしてもよい。第二柱部６４の外周面は、第二状態で、第二筒部５１の内周面に対向する面である。
【００３５】
第二先端部６５は、２本の第二柱部６４を第二方向に連結する。第二先端部６５は、第一方向に対して傾斜する三角山状の第二傾斜部６６を含む。実施形態では、第二傾斜部６６は、三角山状の頂部を通る第一方向に沿った直線を基準として、第三傾斜辺部６７と第四傾斜辺部６８が対称な形状とされている。第三傾斜辺部６７は、第二傾斜部６６の２個の傾斜辺部のうち、第二方向の第三側に設けられる傾斜辺部である。第四傾斜辺部６８は、第二傾斜部６６の２個の傾斜辺部のうち、第二方向の第四側に設けられる傾斜辺部である。第一方向の第一側から第二側に向けて第二傾斜部６６を正面視したとき、第二傾斜部６６は、第二台座部６２に沿った円弧状の形状を有する。
【００３６】
第二先端部６５のうち、次の各部分には、第二爪部６９が、第二筒部５１の側に突出した状態で形成される。前述の第二先端部６５の各部分は、第二傾斜部６６から２本の第二柱部６４へと続く第二先端部６５の各端部である。２個の第二爪部６９は、第二状態で、第二筒部５１の第一方向の第一側の端面に引っ掛かる。これに伴い、第二閉鎖具１２では、第二状態が維持される。
【００３７】
実施形態では、第四部品６０には、第二脚部６３として、第五脚部７１と第六脚部７５が設けられている。第五脚部７１と第六脚部７５は、第二方向に１８０°間隔で第二台座部６２の第一方向の第一側の端面に設けられている。２個の第二脚部６３を区別する場合、「第五脚部７１」と「第六脚部７５」という。第五脚部７１と第六脚部７５を区別しない場合、又はこれらを総称する場合、「第二脚部６３」という。
【００３８】
第二脚部６３には、第二方向の両側に第二係合部７０が形成される。即ち、第五脚部７１には、第二係合部７０としての第七係合部７２と第八係合部７３が形成される。第七係合部７２は、第五脚部７１の第二方向の第三側に形成される。第八係合部７３は、第五脚部７１の第二方向の第四側に形成される。第六脚部７５には、第二係合部７０としての第九係合部７６と第十係合部７７が形成される。第九係合部７６は、第六脚部７５の第二方向の第三側に形成される。第十係合部７７は、第六脚部７５の第二方向の第四側に形成される。実施形態では、第七係合部７２と第八係合部７３と第九係合部７６と第十係合部７７を区別しない場合、又はこれらを総称する場合、「第二係合部７０」という。第二係合部７０は、三角山状の凸部を含む凹凸部とされている。第二係合部７０では、凹凸部における凸部の数は、２個とされ、第一方向に並んで形成されている。第一方向に並ぶ２個の凸部の間には、凸部に対応する形状の凹部が形成されている。第二係合部７０では、凹凸部の形状は、第一係合部４０の凹凸部と同じとされる。図３では、第八係合部７３は、視認できず、不図示とされている（第八係合部７３については、例えば、図４の「第一段階」参照）。
【００３９】
第四部品６０を第三部品５０に嵌め込む場合、第五脚部７１と第六脚部７５は、第二爪部６９の部分で、第二筒部５１の内周面に接する。これに伴い、第五脚部７１と第六脚部７５は、第二筒部５１の内周面からの反力に応じて、互いが接近する方向に弾性変形する。この弾性変形は、第四部品６０の第三部品５０への嵌め込みが完了した状態（第二状態）では、解放される。
【００４０】
＜装着方法＞
装着方法について、図１及び図４〜図６を参照して説明する。図４及び図６では、第一部品２０及び第三部品５０の図示と、第一爪部３９及び第二爪部６９の図示は、省略されている。装着方法は、閉鎖器具１０をドア板２に装着し、ドア１を製造する方法である。装着方法は、第一工程と、第二工程を含む（図１上段参照）。第一工程は、第一閉鎖具１１を第一方向の第一側から貫通孔５に嵌め込む工程である。第一工程では、第一閉鎖具１１が、第一方向の第一側から貫通孔５に嵌め込まれる。このとき、第一閉鎖具１１は、第一筒部２１が貫通孔５に嵌合された状態で、第一方向の第二側へと押し込まれる。第一閉鎖具１１の押し込みは、第一鍔部２２がドア板２の第一面３に接するまで行われる。第一工程は、第一鍔部２２がドア板２の第一面３に接したタイミングで終了する。その後、装着方法は、第二工程に移行する。
【００４１】
第二工程は、第二閉鎖具１２を第一方向の第二側から貫通孔５に嵌め込む工程である。第二工程では、第二閉鎖具１２が、第一方向の第二側から貫通孔５に嵌め込まれる。このとき、第二閉鎖具１２は、第二筒部５１が貫通孔５に嵌合された状態で、第一方向の第一側へと押し込まれる。
【００４２】
第二工程で、第一閉鎖具１１が装着された貫通孔５に対して、第二閉鎖具１２が第一方向の第二側から第一側に押し込まれる場合、第一脚部３３（第三脚部４１及び第四脚部４５）と第二脚部６３（第五脚部７１及び第六脚部７５）の第二方向の位置関係に応じて、第二部品３０と第四部品６０では、第二傾斜部６６と第一傾斜部３６が接することがある（図４の「第一段階」参照）。この場合、第二傾斜部６６には、第一傾斜部３６からの反力が作用し、第四部品６０は、第二部品３０に対して第二方向に相対回転する（図４の「第二段階」参照）。図４の第一段階に示す状態は、第一傾斜部３６の第二傾斜辺部３８と第二傾斜部６６の第三傾斜辺部６７が接した状態である。そのため、第二部品３０と第四部品６０が図４の第一段階に示す状態になった場合、第四部品６０は、図４の第二段階に示すように、第二部品３０に対して第二方向の第四側に回転する。
【００４３】
第四部品６０の回転は、２本の第一脚部３３の各第二傾斜部６６が２本の第二脚部６３の間に配置され、２本の第一脚部３３と２本の第二脚部６３が第二方向に交互に均等配置された状態で停止する（図４の「第三段階」参照）。この状態においても、第二工程は、継続され、第二閉鎖具１２は、更に第一方向の第一側に押し込まれる。２本の第二脚部６３は、２本の第一脚部３３の間に入り込む。これに伴い、第一脚部３３と第二脚部６３は、第二方向の両側で、第一係合部４０と第二係合部７０によって係合された状態となる（図４の「第四段階」参照）。
【００４４】
即ち、図４の第四段階に示す状態では、第三脚部４１の第二方向の第四側に、第五脚部７１が配置され、第五脚部７１の第二方向の第四側に、第四脚部４５が配置され、第四脚部４５の第二方向の第四側に、第六脚部７５が配置され、第六脚部７５の第二方向の第四側に、第三脚部４１が配置される（図５参照）。図５に示す第三脚部４１及び第四脚部４５と第五脚部７１及び第六脚部７５の配置は、装着状態の第一閉鎖具１１と第二閉鎖具１２を、第一方向の第一側から正面視した状態に対応する。図５では、２本の第一脚部３３と２本の第二脚部６３の区別を容易とするため、第二脚部６３としての第五脚部７１と第六脚部７５に対応する部分には、ハッチングを付している。
【００４５】
第二方向の配置が上述した順とされた第三脚部４１と第五脚部７１と第四脚部４５と第六脚部７５は、次のように係合される。即ち、第三脚部４１の第二方向の第四側で且つ第五脚部７１の第二方向の第三側では、第四係合部４３と第七係合部７２が係合される（図５の「Ａ部」参照）。第五脚部７１の第二方向の第四側で且つ第四脚部４５の第二方向の第三側では、第八係合部７３と第五係合部４６が係合される（図５の「Ｂ部」参照）。第四脚部４５の第二方向の第四側で且つ第六脚部７５の第二方向の第三側では、第六係合部４７と第九係合部７６が係合される（図５の「Ｃ部」参照）。第六脚部７５の第二方向の第四側で且つ第三脚部４１の第二方向の第三側では、第十係合部７７と第三係合部４２が係合される（図５の「Ｄ部」参照）。
【００４６】
これに伴い、第一閉鎖具１１と第二閉鎖具１２は、貫通孔５の内部で連結され、閉鎖器具１０は、ドア板２に装着された状態となる。第二工程では、第二閉鎖具１２の押し込みは、第二鍔部５２がドア板２の第二面４に接するまで行われる。第二工程は、第一鍔部２２がドア板２の第一面３に接したタイミングで終了する。第二工程の終了に伴い、装着方法は、終了する。
【００４７】
図４に基づく装着方法の説明では、説明の便宜上、図４は、第二部品３０の第二方向の位置が固定され、第四部品６０が回転する態様の図とされている。しかし、実際には、第二部品３０と第四部品６０が図４の第一段階に示す状態になった場合、第一傾斜部３６にも、第二傾斜部６６からの反力が作用する。そのため、第二部品３０と第四部品６０が図４の第一段階に示す状態となった場合、第一閉鎖具１１では、第二部品３０が第二方向の第三側に回転することもある。第二部品３０の回転と第四部品６０の回転は、２本の第一脚部３３と２本の第二脚部６３が図４の第三段階と同じ状態となったタイミングで、上記同様、停止する。図４の第一段階に示す状態では、第四部品６０の第二方向への回転が拘束されると、第四部品６０が第二方向の第四側に回転することなく、第二部品３０が第二方向の第三側に回転する。
【００４８】
第一閉鎖具１１と第二閉鎖具１２の連結状態は、ドア板２の厚みＴに応じて変化する。例えば、ドア板２の厚みＴが第一値である場合、第一係合部４０と第二係合部７０の係合状態は、図６上段に示す状態になる。即ち、第一係合部４０の第一方向の第二側の凸部は、第二係合部７０の凹部に嵌り込む。第二係合部７０の第一方向の第一側の凸部は、第一係合部４０の凹部に嵌り込む。図６上段は、図４の第四段階に対応した図であり、視認方向が図４の第四段階とは異なる。ドア板２の厚みＴが第二値（第二値＜第一値）である場合、第一係合部４０と第二係合部７０の係合状態は、図６下段に示す状態になる。即ち、第一係合部４０の第一方向の第二側の凸部は、第二係合部７０の第一方向の第二側の凸部を、第一方向の第二側に越えた位置に配置される。第一係合部４０の第一方向の第一側の凸部は、第二係合部７０の凹部に嵌り込む。第二係合部７０の第一方向の第一側の凸部は、第一係合部４０の第一方向の第一側の凸部を、第一方向の第一側に越えた位置に配置される。第二係合部７０の第一方向の第二側の凸部は、第一係合部４０の凹部に嵌り込む。上記では説明を省略したが、第一係合部４０と第二係合部７０では、２個の凸部とその間に設けられる凹部の第一方向の配置は、第一鍔部２２と第二鍔部５２の間の第一方向の寸法Ｗ（図１下段参照）を第一値又は第二値の何れかに設定できる状態とされている。
【００４９】
＜実施形態の効果＞
実施形態によれば、次のような効果を得ることができる。
【００５０】
（１）閉鎖器具１０は、第一閉鎖具１１と、第二閉鎖具１２を備える（図１参照）。第一閉鎖具１１は、第一部品２０と、第二部品３０を備える（図２参照）。第二部品３０は、第一筒部２１の内部に、第一方向の第一側から嵌め込まれ、第一部品２０に支持される。第一脚部３３には、第一係合部４０が形成される（図２及び図４参照）。第二閉鎖具１２は、第三部品５０と、第四部品６０を備える（図３参照）。第四部品６０は、第二筒部５１の内部に、第一方向の第二側から嵌め込まれ、第三部品５０に支持される。第二脚部６３には、第二係合部７０が形成される（図３及び図４参照）。第一係合部４０と第二係合部７０は、装着状態で係合する（図４〜図６参照）。そのため、第一閉鎖具１１と第二閉鎖具１２を貫通孔５に嵌め込むことで、貫通孔５の内部で、第一係合部４０と第二係合部７０を係合させることができる。第一閉鎖具１１と第二閉鎖具１２を連結させることができる。装着状態において第一閉鎖具１１と第二閉鎖具１２の少なくとも一方が貫通孔５から外れてしまうことを防止することができる。
【００５１】
（２）第一筒部２１は、内周面が円筒面である筒状とされる（図２上段参照）。第一脚部３３は、第一先端部３５に第一傾斜部３６を含む（図２下段参照）。第二部品３０は、第一部品２０に第二方向に回転自在に支持される。第二筒部５１は、内周面が円筒面である筒状とされる（図３下段参照）。第二脚部６３は、第二先端部６５に第二傾斜部６６を含む（図３上段参照）。第四部品６０は、第三部品５０に第二方向に回転自在に支持される。第四部品６０は、第二閉鎖具１２が第一閉鎖具１１が嵌め込まれた貫通孔５に嵌め込まれる場合、第一傾斜部３６と第二傾斜部６６の接触に伴う第一傾斜部３６からの反力に応じて、第二部品３０に対して第二方向に相対回転する（図４の「第一段階〜第三段階」参照）。そのため、第一脚部３３と第二脚部６３の位置合わせを、第二閉鎖具１２の嵌め込みに応じて自動的に行うことができる。第一係合部４０と第二係合部７０の係合をスムーズに行うことができる。
【００５２】
（３）第一係合部４０と第二係合部７０は、第一方向に並んで設けられた２個の凸部と、２個の凸部の間に設けられる凹部によって形成される（図２〜図４及び図６参照）。そのため、閉鎖器具１０では、第一鍔部２２と第二鍔部５２の間の第一方向の寸法Ｗを、第一値及び第二値の何れかにすることができる。１種の閉鎖器具１０で、厚みＴが異なる複数種のドア板２に対応することができる。装着状態の第一閉鎖具１１に、力の方向が第一方向の第一側となる力を作用させ、又は装着状態の第二閉鎖具１２に、力の方向が第二方向の第二側となる力を作用させることで、第一閉鎖具１１と第二閉鎖具１２の連結を解除することができる。例えば、装着状態の第一閉鎖具１１を第一方向の第一側に引っ張ることで第一閉鎖具１１を貫通孔５から取り外し、その後、第二閉鎖具１２を貫通孔５から取り外すことができる。
【００５３】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００５４】
（１）閉鎖器具１０は、ドア板２に装着される（図１下段参照）。即ち、閉鎖器具１０は、ドア１における小窓若しくは明かり窓、又はドアスコープとなる器具である。貫通孔を閉鎖する閉鎖器具としては、例えば、ホールキャップと称される閉鎖器具が知られている。このような閉鎖器具を、閉鎖器具１０と同一構造の閉鎖器具としてもよい。この閉鎖器具の第一閉鎖具と第二閉鎖具では、第二部品と第四部品は、不透明な合成樹脂によって形成されてもよい。例えば、第二部品と第四部品は、第一部品と第三部品を形成する合成樹脂と同一種の合成樹脂によって形成される。
【００５５】
（２）第二部品３０は、第一脚部３３として、第三脚部４１と、第四脚部４５を含む。第四部品６０は、第二脚部６３として、第五脚部７１と、第六脚部７５を含む。第二部品は、第一脚部として、３本以上の脚部を含むようにしてもよい。第四部品は、第二脚部として、３本以上の脚部を含むようにしてもよい。例えば、図７に示すように、第二部品には、第一脚部として、３本の脚部を設け、第四部品には、第二脚部として、３本の脚部を設けるようにしてもよい。図７に基づく説明では、第二部品に設けられる３本目の第一脚部を、「第七脚部８０」といい、第四部品に設けられる３本目の第二脚部を、「第八脚部８３」という。第七脚部８０の第二方向の第三側に形成される第一係合部を、「第十一係合部８１」という。第七脚部８０の第二方向の第四側に形成される第一係合部を、「第十二係合部８２」という。第八脚部８３の第二方向の第三側に形成される第二係合部を、「第十三係合部８４」という。第八脚部８３の第二方向の第四側に形成される第二係合部を、「第十四係合部８５」という。図７に示す３本の第一脚部（第三脚部４１、第四脚部４５及び第七脚部８０）と３本の第二脚部（第五脚部７１、第六脚部７５及び第八脚部８３）の配置は、図５と同様、装着状態の第一閉鎖具と第二閉鎖具を第一方向の第一側から正面視した状態に対応する。図７では、３本の第一脚部と３本の第二脚部の区別を容易とするため、第二脚部としての第五脚部７１と第六脚部７５と第八脚部８３に対応する部分には、ハッチングを付している。
【００５６】
装着方法の第二工程が実施された場合、第三脚部４１の第二方向の第四側に、第五脚部７１が配置される。第五脚部７１の第二方向の第四側に、第四脚部４５が配置される。第四脚部４５の第二方向の第四側に、第六脚部７５が配置される。第六脚部７５の第二方向の第四側に、第七脚部８０が配置される。第七脚部８０の第二方向の第四側に、第八脚部８３が配置される。第八脚部８３の第二方向の第四側に、第三脚部４１が配置される。
【００５７】
第二方向の配置が上述した順とされた第三脚部４１と第五脚部７１と第四脚部４５と第六脚部７５と第七脚部８０と第八脚部８３は、次のように係合される。即ち、第三脚部４１の第二方向の第四側で且つ第五脚部７１の第二方向の第三側では、第四係合部４３と第七係合部７２が係合される（図７の「Ｅ部」参照）。第五脚部７１の第二方向の第四側で且つ第四脚部４５の第二方向の第三側では、第八係合部７３と第五係合部４６が係合される（図７の「Ｆ部」参照）。第四脚部４５の第二方向の第四側で且つ第六脚部７５の第二方向の第三側では、第六係合部４７と第九係合部７６が係合される（図７の「Ｇ部」参照）。第六脚部７５の第二方向の第四側で且つ第七脚部８０の第二方向の第三側では、第十係合部７７と第十一係合部８１が係合される（図７の「Ｈ部」参照）。第七脚部８０の第二方向の第四側で且つ第八脚部８３の第二方向の第三側では、第十二係合部８２と第十三係合部８４が係合される（図７の「Ｉ部」参照）。第八脚部８３の第二方向の第四側で且つ第三脚部４１の第二方向の第三側では、第十四係合部８５と第三係合部４２が係合される（図７の「Ｊ部」参照）。
【符号の説明】
【００５８】
１  ドア、  ２  ドア板、  ３  第一面、  ４  第二面、  ５  貫通孔
１０  閉鎖器具、  １１  第一閉鎖具、  １２  第二閉鎖具、  ２０  第一部品
２１  第一筒部、  ２２  第一鍔部、  ２３  第一リブ、  ２４  第一スリット
３０  第二部品、  ３１  第一蓋部、  ３２  第一台座部、  ３３  第一脚部
３４  第一柱部、  ３５  第一先端部、  ３６  第一傾斜部、  ３７  第一傾斜辺部
３８  第二傾斜辺部、  ３９  第一爪部、  ４０  第一係合部、  ４１  第三脚部
４２  第三係合部、  ４３  第四係合部、  ４５  第四脚部、  ４６  第五係合部
４７  第六係合部、  ５０  第三部品、  ５１  第二筒部、  ５２  第二鍔部
５３  第二リブ、  ５４  第二スリット、  ６０  第四部品、  ６１  第二蓋部
６２  第二台座部、  ６３  第二脚部、  ６４  第二柱部、  ６５  第二先端部
６６  第二傾斜部、  ６７  第三傾斜辺部、  ６８  第四傾斜辺部、  ６９  第二爪部
７０  第二係合部、  ７１  第五脚部、  ７２  第七係合部、  ７３  第八係合部
７５  第六脚部、  ７６  第九係合部、  ７７  第十係合部、  ８０  第七脚部
８１  第十一係合部、  ８２  第十二係合部、  ８３  第八脚部
８４  第十三係合部、  ８５  第十四係合部、  Ｔ  厚み、  Ｗ  寸法
【図１】
2018044422.tif 000003
【図２】
2018044422.tif 000004
【図３】
2018044422.tif 000005
【図４】
2018044422.tif 000006
【図５】
2018044422.tif 000007
【図６】
2018044422.tif 000008
【図７】
2018044422.tif 000009